(57)【要約】      （修正有）【課題】断面多角形状の管体において、内壁面の角部での止水性能を向上する管体継手を提供する。【解決手段】管体継手は、角部を有する断面多角形状に形成された第１及び第２の管体の目地部の内側に配置される管体継手であって、第１及び第２の管体の内壁面にそれぞれ固定される第１端部及び第２端部及びそれらを連結し伸縮可能な伸縮部を有し、両管体の内壁面に沿って周方向に延びる筒状に形成された止水ゴムと、止水ゴムの第１端部を押圧するように第１の管体の内壁面に固定される少なくとも１つの第１固定部材と、止水ゴムの第２端部を押圧するように第２の管体の内壁面に固定される少なくとも１つの第２固定部材とを備え、止水ゴムの第１端部及び第２端部にはそれぞれ各管体の内壁面と対向する面に、周方向に延びる少なくとも１つの突条部が設けられており、各突条部は各管体の角部と対応する箇所の高さが他の箇所に比べて高くなるように形成されている。【選択図】図５
2017106244.tif 000002
【特許請求の範囲】
【請求項１】
軸方向に相対し複数の角部を有する断面多角形状に形成された第１及び第２の管体の目地部の内側に配置される管体継手であって、
前記第１及び第２の管体の内壁面にそれぞれ固定される第１端部及び第２端部、及び当該第１及び第２端部を連結し伸縮可能な伸縮部、を有し、前記両管体の内壁面に沿って周方向に延びる筒状に形成された、止水ゴムと、
前記止水ゴムの第１端部を押圧するように、前記第１の管体の内壁面に固定される少なくとも１つの第１固定部材と、
前記止水ゴムの第２端部を押圧するように、前記第２の管体の内壁面に固定される少なくとも１つの第２固定部材と、
を備え、
前記止水ゴムの第１端部及び第２端部には、それぞれ、前記各管体の内壁面と対向する面に、前記周方向に延びる少なくとも１つの突条部が設けられており、
前記各突条部は、前記各管体の角部と対応する箇所の高さが、他の箇所に比べて高くなるように形成されている、管体継手。
【請求項２】
前記各突条部の高さは、前記各管体の角部に近づくにしたがって高くなるように形成されている、請求項１に記載の管体継手。
【請求項３】
前記各管体の角部と対応する箇所において、
前記止水ゴムの第１端部と前記第１固定部材との間に配置され、当該第１固定部材によって前記角部を押圧するに構成された第１押え部材と、
前記止水ゴムの第２端部と前記第２固定部材との間に配置され、当該第２固定部材によって前記角部を押圧するに構成された第２押え部材と、
をさらに備えている、請求項１または２に記載の管体継手。
【請求項４】
前記各押え部材は、前記角部に沿うようにＬ字状に形成されている、請求項３に記載の管体継手。
【請求項５】
前記各押え部材は、第１板材と第２板材とを連結したＬ字状に形成され、当該第１及び第２板材の連結箇所の厚みが他の箇所よりも大きく形成されている、請求項４に記載の管体継手。
【請求項６】
前記各管体の角部と対応する箇所において、
前記止水ゴムの第１端部と第１管体の内壁面との間に配置され、前記止水ゴムによって当該角部に押し付けられる第１充填部材と、
前記止水ゴムの第２端部と第２管体の内壁面との間に配置され、前記止水ゴムによって当該角部に押し付けられる第２充填部材と、
をさらに備えている、請求項１から５のいずれかに記載の管体継手。
【発明の詳細な説明】
【技術分野】
【０００１】
本発明は、軸方向に相対し複数の角部を有する断面多角形状に形成された第１及び第２の管体の目地部の内側に配置される管体継手に関する。
【背景技術】
【０００２】
止水ゴムは、トンネル等の地下構造物を構成するコンクリート製の管体同士の継手部を、管体内側から覆うために用いられる。
【０００３】
耐震対策として、止水ゴムは、止水性（地下水圧によるトンネル内側への漏水の防止）、および変位性（地震による管体の変位吸収）の機能を有している。地震時の管体同士の変位を吸収するために、止水ゴムの形状は、Ｕ字形、波形等に余長をもたせた種々の形状がある。一方で、外水圧が止水ゴムに負荷されると、この止水ゴムの余長分はトンネル内側に膨らもうとする。
【０００４】
特に、既設構造物に取り付ける「後付け用可とう継ぎ手止水ゴム」では、トンネル内空寸法を確保するために、または既存障害物に当たらないようにするために、等の理由により、常時かかる水圧により止水ゴムが内側に膨出することを嫌う場合がある。そこで、常時の水圧負荷に対する止水ゴムの膨らみ防止技術として、特許文献１に記載の技術がある。
【０００５】
特許文献１に係る管体継手は、相対する一対の管体の目地部に沿って止水ゴムを配置している。具体的には、止水ゴムの第１端部及び第２端部を、各管体の内壁面にそれぞれ固定する。止水ゴムは、第１端部と第２端部との間に波形の伸縮部を備えており、例えば、地震などによる両管体の隙間の変化を伸縮部によって吸収するようにしている。
【先行技術文献】
【特許文献】
【０００６】
【特許文献１】特開第２０１３−７９５４３号公報
【発明の概要】
【発明が解決しようとする課題】
【０００７】
ところで、上記のような管体は、断面矩形状であることが多いため、管体の内壁面には角部が形成されている。しかしながら、このような角部は、平面が直角に交差しているため、交差部分にまで止水ゴムを隙間なく密着させることは難しく、隙間が生じることがあった。そのため、この角部から水が浸入するおそれがあった。本発明は、上記問題を解決するためになされたものであり、断面多角形状の管体において、内壁面の角部での止水性能を向上することができる管体継手を提供することを目的とする。
【課題を解決するための手段】
【０００８】
本発明に係る第１の管体継手は、軸方向に相対し複数の角部を有する断面多角形状に形成された第１及び第２の管体の目地部の内側に配置される管体継手であって、前記第１及び第２の管体の内壁面にそれぞれ固定される第１端部及び第２端部、及び当該第１及び第２端部を連結し伸縮可能な伸縮部、を有し、前記両管体の内壁面に沿って周方向に延びる筒状に形成された、止水ゴムと、前記止水ゴムの第１端部を押圧するように、前記第１の管体の内壁面に固定される少なくとも１つの第１固定部材と、前記止水ゴムの第２端部を押圧するように、前記第２の管体の内壁面に固定される少なくとも１つの第２固定部材と、を備え、前記止水ゴムの第１端部及び第２端部には、それぞれ、前記各管体の内壁面と対向する面に、前記周方向に延びる少なくとも１つの突条部が設けられており、前記各突条部は、前記各管体の角部と対応する箇所の高さが、他の箇所に比べて高くなるように形成されている。
【０００９】
この構成によれば、止水ゴムの角部の対応する部分の突条部の高さが、他の部分よりも高く形成されているため、管体の内壁面の角部に対し、突条部を確実に密着させることができる。その結果、管体の角部における止水性能を向上することができる。
【００１０】
上記管体継手において、前記各突条部の高さは、前記各管体の角部に近づくにしたがって高くなるように形成することができる。
【００１１】
上記各管体継手では、前記各管体の角部と対応する箇所において、前記止水ゴムの第１端部と前記第１固定部材との間に配置され、当該第１固定部材によって前記角部を押圧するに構成された第１押え部材と、前記止水ゴムの第２端部と前記第２固定部材との間に配置され、当該第２固定部材によって前記角部を押圧するに構成された第２押え部材と、をさらに備えることができる。
【００１２】
上記管体継手において、前記各押え部材は、前記角部に沿うようにＬ字状に形成することができる。
【００１３】
上記管体継手において、前記各押え部材は、第１板材と第２板材とを連結したＬ字状に形成され、当該第１及び第２板材の連結箇所の厚みが他の箇所よりも大きく形成することができる。
【００１４】
上記各管体継手では、前記各管体の角部と対応する箇所において、前記止水ゴムの第１端部と第１管体の内壁面との間に配置され、前記止水ゴムによって当該角部に押し付けられる第１充填部材と、前記止水ゴムの第２端部と第２管体の内壁面との間に配置され、前記止水ゴムによって当該角部に押し付けられる第２充填部材と、をさらに備えることができる。
【００１５】
本発明に係る第２の管体継手は、軸方向に相対し複数の角部を有する断面多角形状に形成された第１及び第２の管体の目地部の内側に配置される管体継手であって、
前記第１及び第２の管体の内壁面にそれぞれ固定される第１端部及び第２端部、及び当該第１及び第２端部を連結し伸縮可能な伸縮部、を有し、前記両管体の内壁面に沿って周方向に延びる筒状に形成された、止水ゴムと、
前記止水ゴムの第１端部を押圧するように、前記第１の管体の内壁面に固定される少なくとも１つの第１固定部材と、前記止水ゴムの第２端部を押圧するように、前記第２の管体の内壁面に固定される少なくとも１つの第２固定部材と、
を備え、
前記各管体の角部と対応する箇所において、
前記止水ゴムの第１端部と前記第１固定部材との間に配置され、当該第１固定部材によって前記角部を押圧するに構成された第１押え部材と、
前記止水ゴムの第２端部と前記第２固定部材との間に配置され、当該第２固定部材によって前記角部を押圧するに構成された第２押え部材と、をさらに備えている。
【００１６】
本発明に係る第３の管体継手は、軸方向に相対し複数の角部を有する断面多角形状に形成された第１及び第２の管体の目地部の内側に配置される管体継手であって、
前記第１及び第２の管体の内壁面にそれぞれ固定される第１端部及び第２端部、及び当該第１及び第２端部を連結し伸縮可能な伸縮部、を有し、前記両管体の内壁面に沿って周方向に延びる筒状に形成された、止水ゴムと、
前記止水ゴムの第１端部を押圧するように、前記第１の管体の内壁面に固定される少なくとも１つの第１固定部材と、前記止水ゴムの第２端部を押圧するように、前記第２の管体の内壁面に固定される少なくとも１つの第２固定部材と、
を備え、
前記止水ゴムの第１端部と第１管体の内壁面との間に配置され、前記止水ゴムによって当該角部に押し付けられる第１充填部材と、
前記止水ゴムの第２端部と第２管体の内壁面との間に配置され、前記止水ゴムによって当該角部に押し付けられる第２充填部材と、
をさらに備えている。
【発明の効果】
【００１７】
本発明によれば、断面多角形状の管体において、内壁面の角部での止水性能を向上することができる。
【図面の簡単な説明】
【００１８】
【図１】本発明の管体継手が対象とする第１及び第２管体の斜視図である。
【図２】図１の管体に取付けられる管体継手の一部斜視図である。
【図３】図２のＡ−Ａ線断面図である。
【図４】止水ゴムの断面図である。
【図５】止水ゴムの角部の第１端部を背面から見た斜視図である。
【図６】図５の側面図である。
【図７】管体継手の施工方法を示す図である。
【図８】本発明に係る管体継手の他の例を示す側面図である。
【図９】押え部材の他の例を示す側面図である。
【図１０】押え部材の他の例を示す側面図である。
【図１１】本発明に係る管体継手の他の例を示す側面図である。
【発明を実施するための形態】
【００１９】
以下、本発明に係る管体継手の一実施形態について、図面を参照しつつ説明する。図１は本実施形態に係る管体継手が対象とする第１及び第２管体の斜視図、図２は図１の管体に取付けられる管体継手の一部斜視図、図３は図２のＡ−Ａ線断面図である。
【００２０】
＜１．管体継手の構造＞
図１に示すように、本実施形態に係る管体継手が対象とする第１管体２及び第２管体１は、それぞれ、断面矩形状に形成されている。そして、これら管体２，３は、軸方向に相対するように互いに隣接し、その内部空間が互いに連通した状態で地下に埋設されており、トンネル等の地下構造物の少なくとも一部を構成している。両管体２，３の間には隙間が形成され、この隙間を埋めるように、環状の弾性継手により構成された目地部４が配置されている。なお、これら管体２，３の設置時には、両管体２，３の隙間は目地部４で埋められているが、例えば、地震が発生した場合には、この隙間は広がる可能性がある。
【００２１】
図２は、両管体２，３の連結部分に取付けられた管体継手の一部を示している（実際は管体２，３の全周に亘って形成されている）。より詳細には、矩形状に形成された管体２，３の角部付近に取付けられた管体継手の一部を示している。同図に示すように、管体継手は、両管体２，３の内壁面に沿って角筒状に形成されており、両管体２，３の端部同士を連結する止水ゴム５と、この止水ゴム５の軸方向の両端部を各管体２，３に押さえつける複数の第１固定部材６及び第２固定部材７と、を備えている。止水ゴム５は、目地部４を挟んで両管体２，３の内壁面全周に沿って周方向に延びる角筒状に形成されており、各管体２，３の４つの角部に沿うように、止水ゴム５も４つの角部を有している。複数の第１固定部材６は、第１管体２の内壁面に沿って周方向に隣接するように配置されている。同様に、複数の第２固定部材７は、第２管体３の内壁面に沿って周方向に隣接するように配置されている。
【００２２】
次に、図３を参照しつつ、この管体継手をさらに詳細に説明する。まず、第１管体２及び第２管体３の内壁面には、それぞれ、周方向に沿って所定間隔をおいて、予めアンカーボルト１０が、固定されており、これらアンカーボルト１０の先端部が各管体２，３の内壁面から突出している。
【００２３】
続いて、止水ゴム５について説明する。図３に示すように、この止水ゴム５は、軸方向の両端部に平坦な板状の第１端部５１及び第２端部５２を有しており、これら両端部５１，５２を連結するように、断面がＵ字形の伸縮部５３が一体的に設けられている。そして、第１端部５１が第１管体２の内壁面の端部に固定され、第２端部５２が第２管体３の内壁面の端部に固定される。この状態で、Ｕ字状の伸縮部５３は、管体２，３の内部空間側に突出するように配置される。また、第１端部５１及び第２端部５２には、管体２，３の内壁面に沿って所定間隔をおいて複数の長穴状の貫通孔５１１，５２１がそれぞれ形成されており、これら貫通孔５１１，５２１に上述したアンカーボルト１０が挿通されている。さらに、第１端部５１及び第２端部５２において、各管体２，３と対向する面には、周方向に沿って延びる複数の突条部８，９が形成されているが（図４参照）、図３では、押し潰されているため、図示を省略する。この点は、後述する。
【００２４】
止水ゴム５は、例えば、繊維の基布２３を内部に有するゴムにより形成することができる。例えば、止水ゴム５は、基布２３とゴムとの総厚みが５〜２０ｍｍで形成することができる。このようなゴムとしては、例えば、天然ゴム系、クロロプレン系、ＥＰＤＭ系のゴムを利用できる。また、繊維の基布２３としては、例えば、ナイロン基布を利用できる。
【００２５】
次に、固定部材６，７について説明する。両固定部材６，７は、同様の構成を有しているため、ここでは、第１固定部材６について説明する。各第１固定部材６は、第１管体２の内壁面に沿って延びるように板状に形成されており、上述したアンカーボルト１０が挿通される貫通孔６１１が所定間隔をおいて形成されている。より詳細に説明すると、各第１固定部材６の貫通孔６１１には、止水ゴム５の貫通孔５１１から突出するアンカーボルト１０が挿通される。そして、各第１固定部材６の貫通孔６１１から突出するアンカーボルト１０には、２枚の座金（例えば、上側にバネ座金を配置し、下側に平座金を配置する）９１とナット１１が取付けられ、ナット１１を締め付けることで、各第１固定部材６が止水ゴム５の第１端部５１を押圧し、第１管体２の内壁面に押し付けるようになっている。
【００２６】
なお、上述した固定部材６，７は、例えば、ステンレス、ＳＳ材などの鋼板により形成することができる。
【００２７】
次に、止水ゴム５の突条部８，９について、図４〜図６を参照しつつ説明する。図４は止水ゴムの断面図、図５は止水ゴムの角部の第１端部を背面から見た斜視図、図６は図５の側面図である。第１端部５１及び第２端部５２に設けられている突条部８、９は、同じであるため、以下では、主として、第１端部５１に取付けられている突条部８について説明する。
【００２８】
図４に示すように、止水ゴム５の第１端部５１及び第２端部５２の背面（図４では下面）には、第１端部５１の延びる方向に沿って複数（本実施形態では２つ）の突条部８が形成されている。これら複数の突条部８，９は、第１及び第２端部５１，５２の周方向の全周に亘って連続して形成されている。また、複数の突条部８，９は、所定間隔をおいて、第１端部５１の幅方向の中央付近に配置されている。そして、図６に示すように、各突条部８の第１端部５１の背面からの高さは、大部分がｔ１に設定されているが、止水ゴム５の角部においてｔ１よりも高いｔ２に設定されている。角部における突条部８の高さｔ２は、高さｔ１のおおよそ１．１〜２倍となっている。また、突条部８の高さは、角部の近傍において、角部に近づくにつれてｔ１からｔ２へと徐々に高くなるように形成されている。なお、突条部８の高さｔ１は、例えば、３〜５ｍｍとすることができ、高さｔ２は、４〜１０ｍｍとすることができる。
【００２９】
＜２．管体継手の施工方法＞
次に、管体継手の施工方法について、図７も参照しつつ説明する。なお、図７は、止水ゴム５を第１端部５１側から見た図であるが、第２端部５２についても同様に施工される。まず、図７（ａ）に示すように、各管体２，３の内壁面において、目地部４側に位置する突条部８が配置される位置に、ブチルゴムなどのゴム製のシート１００を配置する。続いて、目地部４を覆うように、止水ゴム５を取付ける。このとき、アンカーボルト１０は、既に各管体２，３に取付けられている。そして、止水ゴム５の第１端部５１及び第２端部５２の角部を、各管体２，３の内壁面の角部に押し付けつつ、第１端部５１及び第２端部５２の貫通孔５１１，５２１にアンカーボルト１０を挿通する。これにより、図７（ｂ）に示すように、突条部８，９が各管体２，３の内壁面に密着される。特に、角部に配置されている突条部８，９は、他よりも高く形成されているため、管体２，３の内壁面に角部にしっかりと密着する。
【００３０】
続いて、第１固定部材６及び第２固定部材７を取付ける。すなわち、これら固定部材６，７の貫通孔６１１，７１１にアンカーボルト１０を挿通する。その後、座金９１及びナット１１を、各固定部材６，７から突出するアンカーボルト１０に取付け、ナット１１を締め付ける。これにより、各固定部材６，７が止水ゴム５の第１端部５１及び第２端部５２を押圧する。その過程において、図７（ｃ）に示すように、突条部８，９は、管体２，３の内壁面に押し付けられ、押し潰される。その結果、図３に示すように、止水ゴム５の第１及び第２端部５１，５２の背面が管体２，３の内壁面に当接し、ナット１１の締め付けが完了する。なお、角部を挟んで直交するように配置されている一対の固定部材６において、突き合わされている端部６５には、テーパが形成されており、面接触するように構成されている。こうして、管体継手の施工が完了する。
【００３１】
なお、上述したように、地震の発生などで、両管体２，３の隙間が広がった場合には、止水ゴム５の伸縮部５３が延びるため、止水状態を保つことができる。
【００３２】
＜３．特徴＞
以上のように、本実施形態に係る管体継手によれば、以下の効果を得ることができる。
【００３３】
（１）止水ゴム５の第１端部５１及び第２端部５２の背面に、複数の突条部８，９を周方向に延びる設け、施工時には、各固定部材６，７で第１端部５１及び第２端部５２を押圧することで、突条部８，９を押し潰している。これにより、突条部８，９に設置圧が集中するため、止水ゴム５と管体２，３の内壁面との密着性が向上する。その結果、例えば、目地部４から管体２，３の内部空間への水の浸入を確実に防止することができる。
【００３４】
（２）止水ゴム５の角部の対応する部分の突条部８，９の高さｔ２は、他の部分よりも高く形成されている。そのため、管体２，３の内壁面の角部に対し、突条部８，９を確実に密着させることができる。その結果、管体２，３の角部における止水性能を向上することができる。
【００３５】
＜４．変形例＞
以上、本発明の一実施形態について説明したが、本発明はこれに限定されるものではなく、その趣旨を逸脱しない限りにおいて、種々の変更が可能である。但し、以下の変形例は、適宜、組み合わせることができる。
【００３６】
＜４−１＞
上記実施形態では、突条部８，９の高さが、角部に近づくにしたがって徐々に高くなるようにしているが、角部付近の突条部８、９が、他の部分から突出するように、形成することもできる。
【００３７】
＜４−２＞
管体２，３の角部における止水性能を向上するには、例えば、次のような方法もある。図８に示すように、この例では、止水ゴム５の第１及び第２端部５１，５２と、第１及び第２固定部材６，７との間に、押え部材４０を配置している。この押え部材４０は、第１及び第２端部５１，５２の角部に沿うように、板状の第１板材４０１と第２板材４０２とを連結した断面Ｌ字型に形成されている。施工時には、押え部材４０の第１板材４０１及び第２板材４０２をそれぞれ、固定部材６，７によって押圧し、これによって止水ゴム５の角部が、管体２，３の角部に押し付けられる。その結果、管体２，３の角部における止水性能をさらに向上することができる。
【００３８】
なお、押え部材４０の形状は、特には限定されず、種々の形状が可能である。例えば、図９に示すように、第１板材４０１と第２板材４０２との連結部分の板厚を大きくし、各板材４０１、４０２の端部に行くほど板厚が小さくなるようにすることができる。これにより、各固定部材６，７を押え部材４０に対して押圧したときに、止水ゴム５の角部をより押し込むことができる。その結果、管体２，３の角部と止水ゴム５とをさらに密着させることができ、止水性能をさらに向上することができる。
【００３９】
また、押え部材４０は、施工時に角部に沿うように形成されていればよいため、例えば、図１０に示すように、第１板材４０１と第２板材４０２とを分離しておき、施工時にこれを連結させたり、あるいは接触させた上で、止水ゴム５の角部に配置してもよい。なお、各板材４０１，４０２の平面形状は特には限定されず、矩形状、多角形状など種々の形状にすることができる。また、押え部材４０は、固定部材６，７と同様の金属で形成することができる。
【００４０】
＜４−３＞
管体２，３の角部における止水性能を向上する他の方法としては、止水ゴム５と管体２，３の内壁面との間に充填部材を配置する方法がある。すなわち、図１１に示すように、管体２，３の内壁面の角部に、ゴムなどの弾性材で形成された充填部材５００を配置する。そして、この充填部材５００を押圧するように、止水ゴム５を配置すると、止水ゴム５によって充填部材５００が押圧され、管体２，３の内壁面の角部と止水ゴム５との間の止水性能を向上することができる。なお、充填部材の形状は特には限定されず、押圧の結果、管体２，３の内壁面の角部と止水ゴム５との間を止水できるように充填されれば、元の形状は特には限定されない。
【００４１】
＜４−４＞
上記＜４−２＞及び＜４−３＞の態様は、それぞれ単独で実現することもできる。すなわち、上記実施形態のような突条部８，９を設けることなく（あるいは高さが同じ突条部を設けた上で）、＜４−２＞の態様のみ、＜４−３＞の態様のみ、あるいは＜４−２＞及び＜４−３＞を組み合わせた態様とすることもできる。
【００４２】
＜４−５＞
本発明に係る止水ゴム５は、第１端部５１と第２端部５２との間にＵ字状の伸縮部５３が形成されているが、その形態は特には限定されない。すなわち、地震等の発生時に両管体の隙間を負荷が発生しないように連結できるように伸縮可能であれば、波形、蛇腹状など種々の形状にすることができる。
【００４３】
＜４−６＞
上記実施形態では、４つの角部を有する管体に本発明の管体継手を取付けた例を示したが、角部の数は特には限定されず、本発明に係る管体継手は、４以外の角部を有する多角形状の管体に対し、広く適用することができる。
【符号の説明】
【００４４】
２        ：第１管体
３        ：第２管体
４        ：目地部
５        ：止水ゴム
５１      ：第１端部
５２      ：第２端部
５３      ：伸縮部
６      ：第１固定部材
７      ：第２固定部材
【図１】
2017106244.tif 000003
【図２】
2017106244.tif 000004
【図３】
2017106244.tif 000005
【図４】
2017106244.tif 000006
【図５】
2017106244.tif 000007
【図６】
2017106244.tif 000008
【図７】
2017106244.tif 000009
【図８】
2017106244.tif 000010
【図９】
2017106244.tif 000011
【図１０】
2017106244.tif 000012
【図１１】
2017106244.tif 000013